(57)【特許請求の範囲】
【請求項１】
ロール紙ホルダーの湾曲したカバーに取り付けて使用されるロール紙切断具であって、
前記カバーに取り付けられる取付面を有する基台と、
前記カバーの先端側に位置することになる前記基台の端部から突出した第１の刃と、
前記端部の、前記第１の刃よりも前記取付面に近い位置から突出した第２の刃と、
を備え、
前記第２の刃は、先端部と、前記先端部よりも幅が広い中間部と、前記中間部よりも幅が狭い根本部とを含む複数の単位刃を並べたもので、
前記第１および第２の刃を平面視したとき、前記第１の刃の先端が前記単位刃の前記先端部よりも前記基台に近い
ことを特徴とするロール紙切断具。
【請求項２】
前記第１および第２の刃を平面視したとき、前記第１の刃の先端が前記単位刃の前記中間部よりも前記基台に近い
ことを特徴とする請求項１に記載のロール紙切断具。
【請求項３】
ロール紙ホルダーの湾曲したカバーに取り付けて使用されるロール紙切断具であって、
前記カバーに取り付けられる取付面を有する基台と、
前記カバーの先端側に位置することになる前記基台の端部から突出した第１の刃と、
前記端部の、前記第１の刃よりも前記取付面に近い位置から突出した第２の刃と、
を備え、
前記第２の刃は、本体部と、前記本体部の少なくとも一側面から突出した引っ掛かり部とを含む複数の単位刃を並べたもので、
前記第１および第２の刃を平面視したとき、前記第１の刃の先端が前記第２の刃の先端よりも前記基台に近い
ことを特徴とするロール紙切断具。
【請求項４】
前記第１および第２の刃を平面視したとき、前記第１の刃の先端が前記単位刃の前記引っ掛かり部よりも前記基台に近い
ことを特徴とする請求項３に記載のロール紙切断具。
【請求項５】
壁面に固定される基板および該基板からロール紙を挟むように突出した左右一対のブラケットからなるホルダー本体と、前記ホルダー本体に回動可能に取り付けられた湾曲したカバーとを備えたロール紙ホルダーであって、
前記カバーの表面に設けられた基台と、
前記カバーの先端側に位置する前記基台の端部から突出した第１の刃と、
前記端部の、前記第１の刃よりも前記カバーに近い位置から突出した第２の刃と、
をさらに備え、
前記第２の刃は、先端部と、前記先端部よりも幅が広い中間部と、前記中間部よりも幅が狭い根本部とからなる複数の単位刃を並べたもので、
前記第１および第２の刃を平面視したとき、前記第１の刃の先端が前記単位刃の前記先端部よりも前記基台に近い
ことを特徴とするロール紙ホルダー。
【請求項６】
前記第１および第２の刃を平面視したとき、前記第１の刃の先端が前記単位刃の前記中間部よりも前記基台に近い
ことを特徴とする請求項５に記載のロール紙ホルダー。
【請求項７】
壁面に固定される基板および該基板からロール紙を挟むように突出した左右一対のブラケットからなるホルダー本体と、前記ホルダー本体に回動可能に取り付けられた湾曲したカバーとを備えたロール紙ホルダーであって、
前記カバーの表面に設けられた基台と、
前記カバーの先端側に位置する前記基台の端部から突出した第１の刃と、
前記端部の、前記第１の刃よりも前記カバーに近い位置から突出した第２の刃と、
をさらに備え、
前記第２の刃は、本体部と、前記本体部の少なくとも一側面から突出した引っ掛かり部とを含む複数の単位刃を並べたもので、
前記第１および第２の刃を平面視したとき、前記第１の刃の先端が前記単位刃の前記先端部よりも前記基台に近い
ことを特徴とするロール紙ホルダー。
【請求項８】
前記第１および第２の刃を平面視したとき、前記第１の刃の先端が前記単位刃の前記引っ掛かり部よりも前記基台に近い
ことを特徴とする請求項７に記載のロール紙ホルダー。
【請求項９】
前記カバーおよび前記基台が、一体的に樹脂成型されたものである
ことを特徴とする請求項５〜請求項８のいずれか一項に記載のロール紙ホルダー。
【発明の詳細な説明】
【技術分野】
【０００１】
本発明は、トイレットペーパー等のロール紙を保持するロール紙ホルダー、および既設のロール紙ホルダーに取り付けて使用されるロール紙切断具に関する。
【背景技術】
【０００２】
一般に、トイレットペーパー等のロール紙を保持するロール紙ホルダーは、壁面に固定される基板および該基板からロール紙のロールを挟むように突出した左右一対のブラケットからなるホルダー本体と、このホルダー本体に回動可能に取り付けられたカバーとを備えている。カバーは、ロールを覆うようにその先端部が下方へと緩やかに湾曲している。このロール紙ホルダーでは、切断されたロール紙の先端がカバーに覆われるので、カバーを一度持ち上げないとロール紙の先端をつまんで引き出すことができない。
【０００３】
引き出しの容易化を企図したロール紙ホルダーとして、図１４に示すロール紙ホルダーが知られている（例えば、特許文献１参照）。このロール紙ホルダー１００は、カバー１０１の先端から離間した位置に設けられた切断手段１０２を備えている。このロール紙ホルダー１００によれば、切断されたロール紙Ｐの先端Ｐｔがカバー１０１から露出するので、次の引き出しが容易となる。
【先行技術文献】
【特許文献】
【０００４】
【特許文献１】特開平６−３４３５７４号公報
【発明の概要】
【発明が解決しようとする課題】
【０００５】
しかしながら、上記従来のロール紙ホルダー１００では、何らかの弾みでロールＲが引き出し方向とは反対の方向に回転すると、ロール紙Ｐの先端Ｐｔがカバー１０１に隠れてしまうことがあった。この場合は、カバー１０１を持ち上げてロール紙Ｐの先端Ｐｔを見つけ出さないと、引き出しを行うことはできない。
【０００６】
本発明は、上記事情に鑑みてなされたものであって、ロール紙の引き出しが容易なロール紙ホルダー、および既設のロール紙ホルダーにおけるロール紙の引き出しを容易化するロール紙切断具を提供することを課題とする。
【課題を解決するための手段】
【０００７】
上記課題を解決するために、本発明に係る第１のロール紙切断具は、ロール紙ホルダーの湾曲したカバーに取り付けて使用されるものであって、前記カバーに取り付けられる取付面を有する基台と、前記カバーの先端側に位置することになる前記基台の端部から突出した第１の刃と、前記端部の、前記第１の刃よりも前記取付面に近い位置から突出した第２の刃と、を備え、前記第２の刃は、先端部と、前記先端部よりも幅が広い中間部と、前記中間部よりも幅が狭い根本部とを含む複数の単位刃を並べたもので、前記第１および第２の刃を平面視したとき、前記第１の刃の先端が前記単位刃の前記先端部よりも前記基台に近い、との構成を有している。
【０００８】
上記第１のロール紙切断具は、前記第１および第２の刃を平面視したとき、前記第１の刃の先端が前記単位刃の前記中間部よりも前記基台に近いことが好ましい。
【０００９】
上記課題を解決するために、本発明に係る第２のロール紙切断具は、ロール紙ホルダーの湾曲したカバーに取り付けて使用されるものであって、前記カバーに取り付けられる取付面を有する基台と、前記カバーの先端側に位置することになる前記基台の端部から突出した第１の刃と、前記端部の、前記第１の刃よりも前記取付面に近い位置から突出した第２の刃と、を備え、前記第２の刃は、本体部と、前記本体部の少なくとも一側面から突出した引っ掛かり部とを含む複数の単位刃を並べたもので、前記第１および第２の刃を平面視したとき、前記第１の刃の先端が前記第２の刃の先端よりも前記基台に近い、との構成を有している。
【００１０】
上記第２のロール紙切断具は、前記第１および第２の刃を平面視したとき、前記第１の刃の先端が前記単位刃の前記引っ掛かり部よりも前記基台に近いことが好ましい。
【００１１】
上記課題を解決するために、本発明に係る第１のロール紙ホルダーは、壁面に固定される基板および該基板からロール紙を挟むように突出した左右一対のブラケットからなるホルダー本体と、前記ホルダー本体に回動可能に取り付けられた湾曲したカバーとを備えたものであって、前記カバーの表面に設けられた基台と、前記カバーの先端側に位置する前記基台の端部から突出した第１の刃と、前記端部の、前記第１の刃よりも前記カバーに近い位置から突出した第２の刃と、をさらに備え、前記第２の刃は、先端部と、前記先端部よりも幅が広い中間部と、前記中間部よりも幅が狭い根本部とからなる複数の単位刃を並べたもので、前記第１および第２の刃を平面視したとき、前記第１の刃の先端が前記単位刃の前記先端部よりも前記基台に近い、との構成を有している。
【００１２】
上記第１のロール紙ホルダーは、前記第１および第２の刃を平面視したとき、前記第１の刃の先端が前記単位刃の前記中間部よりも前記基台に近いことが好ましい。
【００１３】
上記課題を解決するために、本発明に係る第２のロール紙ホルダーは、壁面に固定される基板および該基板からロール紙を挟むように突出した左右一対のブラケットからなるホルダー本体と、前記ホルダー本体に回動可能に取り付けられた湾曲したカバーとを備えたものであって、前記カバーの表面に設けられた基台と、前記カバーの先端側に位置する前記基台の端部から突出した第１の刃と、前記端部の、前記第１の刃よりも前記カバーに近い位置から突出した第２の刃と、をさらに備え、前記第２の刃は、本体部と、前記本体部の少なくとも一側面から突出した引っ掛かり部とを含む複数の単位刃を並べたもので、前記第１および第２の刃を平面視したとき、前記第１の刃の先端が前記単位刃の前記先端部よりも前記基台に近い、との構成を有している。
【００１４】
上記第２のロール紙ホルダーは、前記第１および第２の刃を平面視したとき、前記第１の刃の先端が前記単位刃の前記引っ掛かり部よりも前記基台に近いことが好ましい。
【００１５】
また、上記第１および第２のロール紙ホルダーは、前記カバーおよび前記基台が、一体的に樹脂成型されたものであってもよい。
【発明の効果】
【００１６】
本発明によれば、ロール紙の引き出しが容易なロール紙ホルダー、および既設のロール紙ホルダーにおけるロール紙の引き出しを容易化するロール紙切断具を提供することができる。
【図面の簡単な説明】
【００１７】
【図１】本発明の第１実施例に係るロール紙切断具の外観および使用態様を示す斜視図である。
【図２】第１実施例に係るロール紙切断具に備えられた刃を示す平面図である。
【図３】第１実施例に係るロール紙切断具が取り付けられたロール紙ホルダーを示す斜視図である。
【図４】第１実施例に係るロール紙切断具を用いたロール紙の切り出し手順を示す側面図である。
【図５】第１実施例に係るロール紙切断具に備えられた第２の刃の変形例を示す平面図である。
【図６】本発明の第２実施例に係るロール紙切断具の外観および使用態様を示す斜視図である。
【図７】第２実施例に係るロール紙切断具に備えられた刃を示す平面図である。
【図８】第２実施例に係るロール紙切断具が取り付けられたロール紙ホルダーを示す斜視図である。
【図９】第２実施例に係るロール紙切断具に備えられた第２の刃の変形例を示す平面図である。
【図１０】本発明の第３実施例に係るロール紙ホルダーを示す斜視図である。
【図１１】本発明の第４実施例に係るロール紙ホルダーを示す斜視図である。
【図１２】本発明の変形例に係るロール紙ホルダーにおけるロール紙の切り出し手順を示す側面図である。
【図１３】本発明の別の変形例に係るロール紙ホルダーにおけるロール紙の切り出し手順を示す側面図である。
【図１４】従来のロール紙ホルダーを示す側面図である。
【発明を実施するための形態】
【００１８】
本発明は、既設のロール紙ホルダーに取り付けて使用されるロール紙切断具、および既設のロール紙ホルダーと置き換えて使用されるロール紙ホルダーとして具現化することができる。以下、添付図面を参照しながら、それぞれの実施例および変形例について説明する。
【００１９】
［ロール紙切断具（第１実施例）］
図１に、本発明の第１実施例に係るロール紙切断具１０Ａを示す。ロール紙切断具１０Ａは、既設のロール紙ホルダー５０に取り付けて使用される。なお、既設のロール紙ホルダー５０は、壁面に固定される基板５１および該基板５１からロール紙ＰのロールＲを挟むように突出した左右一対のブラケット５２，５２からなるホルダー本体と、ホルダー本体に回動可能に取り付けられた湾曲したカバー５３とを備えている。ロール紙切断具１０Ａは、カバー５３の表面に両面テープ等を用いて取り付けられる。
【００２０】
同図に示すように、ロール紙切断具１０Ａは、基台１１と、第１の刃２０と、第２の刃３０とを備えている。
【００２１】
基台１１は、カバー５３の表面に取り付けられる取付面１２と、取り付けた際にカバー５３の先端側に位置することになる第１の端部１３と、その反対側にある第２の端部１４とを有している。本実施例では、第１の端部１３および第２の端部１４が平坦な面で構成されているが、本発明における基台１１の形状はこれに限定されない。また、本実施例では、第１の端部１３から第２の端部１４に向かうにつれて肉薄となっているが、本発明における基台１１の形状はこれにも限定されない。
【００２２】
第１の刃２０は、基台１１の第１の端部１３に設けられている。図２（Ａ）に示すように、第１の刃２０は、第１の端部１３からＬ１だけ突出した三角形状の複数の単位刃２１を基台１１の幅方向に沿って等間隔に並べたものである。第１の刃２０の幅は、基台１１の幅（≒カバー５３の幅）に略等しい。本発明では、第１の刃２０の材料は特に限定されないが、安全性および製造コストの観点から、金属ではなくプラスチック等の樹脂材料で構成されていることが好ましい。
【００２３】
第２の刃３０は、基台１１の第１の端部１３の、第１の刃２０よりも取付面１２に近い位置に設けられている。図２（Ｂ）に示すように、第２の刃３０は、第１の端部１３からＬ２だけ突出した複数の単位刃３１を基台１１の幅方向に沿って等間隔に並べたものである。第２の刃３０の幅は、基台１１の幅（≒カバー５３の幅）に略等しい。本発明では、第２の刃３０の材料は特に限定されないが、安全性および製造コストの観点から、金属ではなくプラスチック等の樹脂材料で構成されていることが好ましい。
【００２４】
第２の刃３０を構成する単位刃３１のそれぞれは、先端部３２と、先端部３２よりも幅が広い中間部３３と、中間部３３よりも幅が狭い根本部３４とを含んでいる。先端部３２は、トイレットペーパー等の薄手のロール紙Ｐに孔をあけることができる程度に尖っている。また、単位刃３１の幅は、先端部３２から中間部３３に向かうにつれて広くなっていく。このため、ロール紙Ｐと単位刃３１との間に僅かな力を作用させるだけで、先端部３２があけた孔に中間部３３を通すことができる。一方、中間部３３の根本側には該中間部３３よりも幅が狭い根本部３４が存在するため、一旦孔を通った中間部３３を該孔から引き抜くためには、ロール紙Ｐと単位刃３１との間に比較的大きな力を作用させる必要がある。つまり、単位刃３１は、そのような力が作用しない限り、ロール紙Ｐを根本部３４において保持し続ける。
【００２５】
図２（Ｃ）は、第１の刃２０および第２の刃３０の関係を示す平面図である。同図に示すように、第１の刃２０の突出量Ｌ１は、第２の刃３０の突出量Ｌ２より小さい。また、第１の刃２０の突出量Ｌ１は、第１の端部１３から中間部３３までの距離Ｌ３よりも小さい。
【００２６】
第１の刃２０および第２の刃３０は、第１の端部１３における取付面１２と平行である。ただし、本発明では、第１の端部１３における取付面１２、第１の刃２０および第２の刃３０が厳密に平行である必要はなく、±１０°以内のズレがあってもよい。つまり、第１の端部１３における取付面１２、第１の刃２０および第２の刃３０は、略平行であればよい。
【００２７】
第１実施例に係るロール紙切断具１０Ａを既設のロール紙ホルダー５０に取り付けると、図３に示した状態となる。
【００２８】
ロールＲからの所望の長さのロール紙Ｐの初回の切り出しは、以下の手順で行う。
手順１）切り出したい長さに応じた分だけロールＲを引き出し方向に回転させる。
手順２）ロール紙Ｐの先端Ｐｔをつまんで引っ張り上げる。これにより、第２の刃３０がロール紙Ｐに突き刺さる。
手順３）ロール紙Ｐの先端Ｐｔをさらに引っ張り上げる。これにより、ロール紙Ｐに第２の刃３０がより深く突き刺さるとともに、第１の刃２０によってロール紙Ｐが切断される。この切断の後も、第２の刃３０は、切断により生じた新たな先端Ｐｔ’の近傍においてロール紙Ｐを保持し続ける（図４（Ｂ）参照）。つまり、ロール紙Ｐは、第２の刃３０に引っ掛かったままとなる。
【００２９】
また、ロールＲからの所望の長さのロール紙Ｐの２回目以降の切り出しは、以下の手順で行う。
手順１）ロールＲを引き出し方向に回転させる。これにより、ロール紙Ｐに垂れ下がり部Ｐｄが形成される（図４（Ｃ）参照）。なお、第２の刃３０がロール紙Ｐの先端Ｐｔ’近傍を保持し続けているため、図４（Ｂ）に示した状態からロールＲが引き出し方向とは反対の方向には回転することはない。
手順２）ロール紙Ｐの垂れ下がり部Ｐｄをつかんで、切り出したい長さに応じた分だけ下方に引っ張る。これにより、ロールＲが引き出し方向に回転するとともに、ロール紙Ｐが第２の刃３０から引き抜かれる。
手順３）ロール紙Ｐの垂れ下がり部Ｐｄを引っ張り上げる。これにより、第２の刃３０がロール紙Ｐに突き刺さる。
手順４）ロール紙Ｐの垂れ下がり部Ｐｄをさらに引っ張り上げる。これにより、ロール紙Ｐに第２の刃３０がより深く突き刺さるとともに、第１の刃２０によってロール紙Ｐが切断される。
【００３０】
このように、本発明の第１実施例に係るロール紙切断具１０Ａによれば、切断によって生じたロール紙Ｐの新たな先端Ｐｔ’の近傍が第２の刃３０によって確実に保持されるので、次の切断の際にロール紙Ｐの先端Ｐｔ’を探す必要がなく、ロール紙Ｐを容易に引き出すことができる。
【００３１】
なお、第２の刃３０の単位刃３１には、図５（Ａ）〜（Ｄ）に例示したような変形例が存在する。第１実施例における単位刃３１と同様、変形例における単位刃３１Ａ，３１Ｂ，３１Ｃ，３１Ｄは、先端部３２Ａ，３２Ｂ，３２Ｃ，３２Ｄと、それよりも幅が広い中間部３３Ａ，３３Ｂ，３３Ｃ，３３Ｄと、それよりも幅が狭い根本部３４Ａ，３４Ｂ，３４Ｃ，３４Ｄとを含んでいる。
【００３２】
これらの変形例によれば、第１実施例と同様の作用効果が得られる。ただし、ロール紙Ｐに対する引っ掛かりをよくして該ロール紙Ｐを確実に保持するためには、単位刃３１Ａや単位刃３１Ｃのように、中間部３３Ａ，３３Ｃと根本部３４Ａ，３４Ｃとの境界で幅が急激に変化することが好ましい。
【００３３】
［ロール紙切断具（第２実施例）］
図６に、本発明の第２実施例に係るロール紙切断具１０Ｂを示す。ロール紙切断具１０Ｂは、第２の刃３０の代わりに第２の刃４０を備えている点においてロール紙切断具１０Ａと相違しているが、その他の点においてはロール紙切断具１０Ａと共通している。
【００３４】
第２の刃４０は、基台１１の第１の端部１３の、第１の刃２０よりも取付面１２に近い位置に設けられている。図７（Ｂ）に示すように、第２の刃４０は、第１の端部１３からＬ４だけ突出した複数の単位刃４１を基台１１の幅方向に沿って等間隔に並べたものである。第２の刃４０の幅は、基台１１の幅（≒カバー５３の幅）に略等しい。本発明では、第２の刃４０の材料は特に限定されないが、安全性および製造コストの観点から、金属ではなくプラスチック等の樹脂材料で構成されていることが好ましい。
【００３５】
第２の刃４０を構成する単位刃４１のそれぞれは、平板状の本体部４２と、本体部４２の表裏方向の側面ともいえる両主面から突出した２つの引っ掛かり部４３とを含んでいる。本体部４２の先端がトイレットペーパー等の薄手のロール紙Ｐにあけた孔を引っ掛かり部４３が通過すると、引っ掛かり部４３がロール紙Ｐに引っ掛かり、ロール紙Ｐは容易には単位刃４１から外れなくなる。つまり、第２の刃４０は、第１実施例における第２の刃３０と同様の作用効果を生じさせる。
【００３６】
図７（Ｃ）は、第１の刃２０および第２の刃４０の関係を示す平面図である。同図に示すように、第１の刃２０の突出量Ｌ１は、第２の刃４０の突出量Ｌ４より小さい。また、第１の刃２０の突出量Ｌ１は、第１の端部１３から引っ掛かり部４３までの距離Ｌ５よりも小さい。
【００３７】
第１の刃２０および第２の刃４０は、第１の端部１３における取付面１２と平行である。ただし、本発明では、第１の端部１３における取付面１２、第１の刃２０および第２の刃４０が厳密に平行である必要はなく、±１０°以内のズレがあってもよい。つまり、第１の端部１３における取付面１２、第１の刃２０および第２の刃４０は、略平行であればよい。
【００３８】
第２実施例に係るロール紙切断具１０Ｂを既設のロール紙ホルダー５０に取り付けると、図８に示した状態となる。
【００３９】
ロールＲからの所望の長さのロール紙Ｐを切り出すための手順は、第１実施例と同じである（図４参照）。
【００４０】
つまり、本発明の第２実施例に係るロール紙切断具１０Ｂによれば、切断によって生じたロール紙Ｐの新たな先端Ｐｔ’の近傍が第２の刃４０によって確実に保持されるので、次の切断の際にロール紙Ｐの先端Ｐｔ’を探す必要がなく、ロール紙Ｐを容易に引き出すことができる。
【００４１】
なお、第２の刃４０の単位刃４１には、図９（Ａ）〜（Ｄ）に例示したような変形例が存在する。単位刃４１Ａは、平板状の本体部４２Ａと、本体部４２Ａの左右方向の両側面から突出した２つの引っ掛かり部４３Ａとを含んでいる。単位刃４１Ｂは、本体部４２Ａと同様の本体部４２Ｂと、引っ掛かり部４３，４３Ａと同様の計４つの引っ掛かり部４３Ｂとを含んでいる。単位刃４１Ｃは、先端がやや先細になっている丸棒状の本体部４２Ｃと、本体部４２Ｃの側面ともいえる周面から左右方向に突出した２つの引っ掛かり部４３Ｃとを含んでいる。また、単位刃４１Ｄは、本体部４２Ｃと同様の本体部４２Ｄと、本体部４２Ｄの側面ともいえる全周面から突出したリング状の引っ掛かり部４３Ｄとを含んでいる。
【００４２】
これらの変形例によれば、第２実施例と同様の作用効果が得られる。
【００４３】
［ロール紙ホルダー（第３実施例）］
図１０に、本発明の第３実施例に係るロール紙ホルダー６０Ａを示す。ロール紙ホルダー６０Ａは、壁面に固定される基板６１および該基板６１からロール紙ＰのロールＲを挟むように突出した左右一対のブラケット６２，６２からなるホルダー本体と、ホルダー本体に回動可能に取り付けられた湾曲したカバー６３と、カバー６３の表面に設けられた基台６４と、基台６４から突出した第１の刃６６および第２の刃６７とを備えている。
【００４４】
基台６４は、基台１１（図１，図６等参照）と同様の構成を有している。基台６４は、両面テープ等を用いてカバー６３に取り付けられていてもよいし、カバー６３と一体的に樹脂成型されたものであってもよい。
【００４５】
第１の刃６６は、第１の刃２０（図１，図２，図６，図７等参照）と同様の構成を有している。すなわち、第１の刃６６は、基台６４の端部６５から突出した三角形状の複数の単位刃を基台６４の幅方向に沿って等間隔に並べたものであり、その幅は、基台６４の幅（≒カバー６３の幅）に略等しい。
【００４６】
第２の刃６７は、第２の刃３０（図１，図２等参照）と同様の構成を有している。すなわち、第２の刃６７は、基台６４の端部６５の、第１の刃６６よりもカバー６３に近い位置から突出した複数の単位刃を基台６４の幅方向に沿って等間隔に並べたものであり、その幅は、基台６４の幅（≒カバー６３の幅）に略等しい。
【００４７】
第３実施例に係るロール紙ホルダー６０Ａによれば、ロール紙切断具１０Ａ，１０Ｂが取り付けられた既設のロール紙ホルダー５０と同様の作用効果が得られる。
【００４８】
［ロール紙ホルダー（第４実施例）］
図１１に、本発明の第４実施例に係るロール紙ホルダー６０Ｂを示す。ロール紙ホルダー６０Ｂは、第２の刃６７の代わりに第２の刃６８を備えている点においてロール紙ホルダー６０Ａと相違しているが、その他の点においてはロール紙ホルダー６０Ａと共通している。
【００４９】
第２の刃６８は、第２の刃４０（図６，図７等参照）と同様の構成を有している。すなわち、第２の刃６８は、基台６４の端部６５の、第１の刃６６よりもカバー６３に近い位置から突出した複数の単位刃を基台６４の幅方向に沿って等間隔に並べたものであり、その幅は、基台６４の幅（≒カバー６３の幅）に略等しい。また、第２の刃６８を構成する単位刃のそれぞれは、引っ掛かり部を含んでいる。
【００５０】
第４実施例に係るロール紙ホルダー６０Ｂによれば、第３実施例に係るロール紙ホルダー６０Ａと同様の作用効果、すなわち、ロール紙切断具１０Ａ，１０Ｂが取り付けられた既設のロール紙ホルダー５０と同様の作用効果が得られる。
【００５１】
なお、第３および第４実施例に係るロール紙ホルダー６０Ａ，６０Ｂの基台６４には、図１２に例示したような変形例が存在する。同図に示すように、この変形例における基台６４Ａは、端部６５Ａの一部、より詳しくは、第２の刃６７，６８とカバー６３の間の部分が大きく凹んでいる。
【００５２】
この変形例によれば、第２の刃６７，６８に保持されているロール紙Ｐと基台６４Ａとの間に空間Ｓが存在するので、ここに人差し指を挿し込んでロール紙Ｐを容易につかむことができる（図１２（Ｂ）参照）。すなわち、この変形例によれば、ロールＲを引き出し方向に回転させて垂れ下がり部Ｐｄ（図４（Ｃ）参照）を形成しなくても、ロール紙Ｐを容易につかむことができる。
【００５３】
さらに、第３および第４実施例に係るロール紙ホルダー６０Ａ，６０Ｂの基台６４には、図１３に例示したような変形例が存在する。同図に示すように、この変形例における基台６４Ｂは、端部６５Ｂを構成する面が端部６５（図１１参照）を構成する面よりも広く、第１の刃６６と第２の刃６７，６８とが大きく離間している。
【００５４】
この変形例によれば、第２の刃６７，６８から比較的長いロール紙Ｐが垂れ下がることになるので、ここをつまんでロール紙Ｐを容易に引き出すことができる。すなわち、この変形例によれば、ロールＲを引き出し方向に回転させて垂れ下がり部Ｐｄ（図４（Ｃ）参照）を形成しなくても、ロール紙Ｐを容易につかむことができる。
【００５５】
以上、本発明に係るロール紙切断具およびロール紙ホルダーの実施例および変形例について説明してきたが、本発明の構成はこれらに限定されるものではない。
【００５６】
例えば、ロール紙切断具１０Ａ，１０Ｂの基台１１は、図１２に示した基台６４Ａまたは図１３に示した基台６４Ｂのような形状を有していてもよい。また、ロール紙ホルダー６０Ａの第２の刃６７は、図５に例示したような単位刃３１Ａ，３１Ｂ，３１Ｃ，３１Ｄで構成されていてもよく、ロール紙ホルダー６０Ｂの第２の刃６８は、図９に例示したような単位刃４１Ａ，４１Ｂ，４１Ｃ，４１Ｄで構成されていてもよい。
【００５７】
第１の刃２０の突出量Ｌ１は、第１の端部１３から中間部３３までの距離Ｌ３より大きく、かつ第２の刃３０の突出量Ｌ２より小さくてもよい。ただし、ロール紙Ｐに対する引っ掛かりをよくして該ロール紙Ｐを確実に保持するためには、第１実施例のように、突出量Ｌ１が距離Ｌ３より小さいことが好ましい。
【００５８】
第１の刃２０の突出量Ｌ１は、第１の端部１３から引っ掛かり部４３までの距離Ｌ５より大きく、かつ第２の刃４０の突出量Ｌ４より小さくてもよい。ただし、ロール紙Ｐに対する引っ掛かりをよくして該ロール紙Ｐを確実に保持するためには、第２実施例のように、突出量Ｌ１が距離Ｌ５より小さいことが好ましい。
【００５９】
また、第１の刃２０，６６は、トイレットペーパー等のロール紙Ｐを切断可能な任意の刃に置き換えることができる。
【符号の説明】
【００６０】
１０Ａ，１０Ｂ    ロール紙切断具
１１    基台
１２    取付面
１３    （基台の）第１の端部
１４    （基台の）第２の端部
２０    第１の刃
３０    第２の刃
３１    単位刃
３２    先端部
３３    中間部
３４    根本部
４０    第２の刃
４１    単位刃
４２    本体部
４３    引っ掛かり部
５０    （既設の）ロール紙ホルダー
５１    基板
５２    ブラケット
５３    カバー
６０Ａ，６０Ｂ    ロール紙ホルダー
６１    基板
６２    ブラケット
６３    カバー
６４    基台
６５    （基台の）端部
６６    第１の刃
６７    第２の刃
６８    第２の刃
Ｐ      ロール紙
Ｐｄ    （ロール紙の）垂れ下がり部
Ｐｔ，Ｐｔ’    （ロール紙の）先端
Ｒ      ロール
【図１】
0006875017.tif 000002
【図２】
0006875017.tif 000003
【図３】
0006875017.tif 000004
【図４】
0006875017.tif 000005
【図５】
0006875017.tif 000006
【図６】
0006875017.tif 000007
【図７】
0006875017.tif 000008
【図８】
0006875017.tif 000009
【図９】
0006875017.tif 000010
【図１０】
0006875017.tif 000011
【図１１】
0006875017.tif 000012
【図１２】
0006875017.tif 000013
【図１３】
0006875017.tif 000014
【図１４】
0006875017.tif 000015